(57)【要約】      （修正有）【課題】電力を節約し、必須の部品を減らせる。【解決手段】光学式読取システム２０は、目標物３０、センサ部４０、および処理装置５０を備えている。目標物は、その表面に少なくとも１つの所定のパターンを有する。所定のパターンは、周囲の光源からの光線を受け取り、対応する赤外線を生じるように、所定のインクでプリントされている。センサ部は、所定のパターンのインクからの対応する赤外線を受け取り、所定のパターンの情報を取り込むために使用され、外部の光源を利用するだけで、従来技術で説明されるような内部の光源を必要としない。【選択図】図２
2007085791.tif 000002
【特許請求の範囲】
【請求項１】
その表面に少なくとも１つの所定のパターンを有し、上記所定のパターンは、周囲の光源からの光線を受け取り、対応する赤外線を生じる所定のインクでプリントされている目標物と、
上記所定のパターンのインクからの上記対応する赤外線を受け取り、上記所定のパターンの情報を取り込むセンサ部と、
上記所定のパターンの情報に応じた、対応する出力信号を出力する処理装置を備えた光学式読取システム。
【請求項２】
上記センサ部は、上記所定のパターンのインクからの上記対応する赤外線を受け取り、上記所定のパターンの情報を上記処理装置に出力するセンサを備えている請求項１の光学式読取システム。
【請求項３】
上記センサ部は、上記対応する赤外線を処理し、処理された対応する赤外線を上記センサに送るレンズとフィルタとをさらに備えている請求項２の光学式読取システム。
【請求項４】
上記処理装置は、上記周囲の光源の明るさが本を読むのに十分でない時に警告信号を出力する警報装置をさらに備えている請求項１の光学式読取システム。
【請求項５】
上記処理装置が、
上記所定のパターンの情報を処理するために使用される画像信号処理プロセッサと上記対応する出力信号を記憶するために使用される記憶装置とを有する画像処理モジュールと、
上記対応する出力信号を出力する出力モジュールをさらに備えている請求項１の光学式読取システム。
【請求項６】
上記出力モジュールはスピーカーである請求項５の光学式読取システム。
【請求項７】
上記出力モジュールは発信装置である請求項５の光学式読取システム。
【請求項８】
上記所定のインクはさらにどんな光をも吸収し、赤外線を放射できる請求項１の光学式読取システム。
【発明の詳細な説明】
【技術分野】
【０００１】
本発明は、光学式読取システムに関し、特に、内部の光源を有さず、周囲の光が本を読むのに十分であるかを検知する光学式読取システムに関する。
【背景技術】
【０００２】
図１を参照すると、従来の光学式読取システム１０は、ＵＳ２００３／０１３３１６４Ａ１に開示されている。光学式読取システム１０は、センサ部１１、画像処理回路１２、出力回路１３、および目標物１４を備えている。センサ部１１は、内部の光源１１１、フィルタ１１４、レンズ１１５、および画像センサ１１６を備えている。内部の光源１１１は、目標物１４の表面のパターン１４１に赤外線１１２を放射するために使用される。
【０００３】
従来のインクで黒い１層にプリントされたパターン１４１は、赤外線１１３をレンズ１１４とフィルタ１１５に反射できる。画像センサ１１６は、レンズ１１４とフィルタ１１５を通して赤外線を受信し、パターン１４１の画像を電子情報に変換する。
【０００４】
画像処理回路１２は、電子情報を画像センサ１１６から受け取る。画像処理回路１２は、デジタルシグナルプロセッサ１２１、およびＲＯＭカード１２２を備えている。デジタルシグナルプロセッサ１２１は、画像処理を実行する。ＲＯＭカード１２２は電子情報と出力信号とのマッピング関係を記憶する。出力回路１３は、画像処理回路１２から出力信号を受け取り、パターン１４１に応じた音声情報を出力するスピーカーである。
【０００５】
例えば、パターン１４１がりんごの形であるとする。画像センサ１１６が、パターン１４１に反射された赤外線を受け取り、赤外線はパターン１１４の形を示す電子情報に変換される。画像処理回路１２は、その電子情報を認識でき、そのうえ出力回路１３は「りんご」という音声情報を出力するであろう。したがって、光学式読取システム１０は、典型的な語学学習本や児童教育本に用いられうる。
【発明の開示】
【発明が解決しようとする課題】
【０００６】
従来の光学式読取システム１０は、有効な光線を放射する内部の赤外線の光源１１１を
利用しなければならず、外部光線の干渉を防ぐように外部光線を遮断するために、カバー１１７が必要とされる。したがって、従来の光学式読取システム１０は、内部の光源１１１に供給するためのより大きな電力とより多くの必須の部品を必要とする。
【０００７】
そこで、上記問題を解決するために、光学式読取システムを提供する必要がある。
【課題を解決するための手段】
【０００８】
本発明の目的は、光学式読取システムを提供することである。光学式読取システムは、目標物、センサ部、および処理装置を備えている。目標物は、その表面に少なくとも１つの所定のパターンを有する。所定のパターンは、周囲の光源からの光線を受け取り、対応する赤外線を生じるように、所定のインクでプリントされている。センサ部は、所定のパターンのインクからの対応する赤外線を受け取り、所定のパターンの情報を取り込むために使用される。処置装置は、所定のパターンの情報に応じた、対応する信号を出力するために使用される。
【発明の効果】
【０００９】
本発明によれば、本発明の光学式読取システムは、外部の光源を利用するだけで、従来技術で説明したような内部の光源を必要としない。したがって、本発明の光学式読取システムは、電力を節約し、必須の部品を減らせるものである。さらに、光学式読取システムは、周囲の光を検知して光源の明るさが十分であるかどうかを測定することもでき、光源の明るさが十分でない時は、警報装置によって警告信号を出力する。したがって、光学式読取システムは、人々に光が暗い状態で本を読まないように警告できる。
【発明を実施するための最良の形態】
【００１０】
図２を参照すると、本発明に係る光学式読取システム２０は、目標物３０、センサ部４０、および処理装置５０を備えている。目標物３０は、その表面に少なくとも１つの所定のパターン３１を有する。所定のパターン３１は、所定のインクでプリントされている。所定のインクは、光源６０からの光線６１を受け、そのうえ対応する赤外線６２を生じることができる。さらに、所定のインクは、どんな光をも吸収し、赤外線を放射できる。光源６０は、通常の蛍光灯や卓上灯でよい。光源６０が可視光線６１を所定のパターン３１に放射すると、所定のインクの所定のパターン３１は対応する赤外線６２を生じうる。
【００１１】
センサ部４０は、レンズ４１、フィルタ４２、およびセンサ４３を備えている。レンズ４１とフィルタ４２は、対応する赤外線６２を処理し、処理された対応する赤外線をセンサ４３に送るために使用される。センサ４３は、所定のパターン３１の処理された対応する赤外線を受け取り、所定のパターン３１の情報を処理装置５０に出力するために使用される。センサ４３は、ＣＣＤセンサ、またはＣＭＯＳセンサでよい。本発明の実施形態において、センサ４３は、所定のパターン３１に対応する赤外線を受け取ることによって所定のパターン３１の情報を取り込むことができる。
【００１２】
処理装置５０は、所定のパターン３１の情報に応じた、対応する信号を出力するために用いられる。処理装置５０は、画像処理モジュール５１と出力モジュール５２を備えている。画像処理モジュール５１は、画像信号処理プロセッサ５１１、および記憶装置５１２を有している。画像信号処理プロセッサ５１１は、センサ４３からの所定のパターン３１の情報を処理するために使用される。記憶装置５１２は、対応する出力信号を記憶するために使用される。すなわち、画像信号処理プロセッサ５１１は、所定のパターン３１の情報を認識し、記憶装置５１２からの対応する出力信号を得ることができる。それから、対応する出力信号は、出力モジュール５２に送られる。
【００１３】
出力モジュール５２は、スピーカー５２１、または発信装置５２２でよい。スピーカー５２１は、対応する出力信号を画像処理モジュール５１から受け取り、パターン３１に対応する音声情報を出力することができる。発信装置５２２は、対応する出力信号を、例えばパソコンといった外部のシステムに送ることができる。
【００１４】
所定のパターン３１の情報は、光源６０の明るさの情報を含んでいる。したがって、光学式読取システム２０は、光源６０の明るさが十分であるかどうかを測定できる。光源６０の明るさが十分でない時は、警報装置が警告信号を出力するであろう。本実施形態において、警報装置はスピーカー５２１である。
【００１５】
例えば、パターン３１がオレンジの形であるとする。光学式読取システム２０は、ペン型であってもよい。光源６０が目標物３０の表面に可視光線を放射すると、目標物３０上のすべてのパターンが、光源６０からの可視光線を受け取ることができ、目標物３０のすべてのパターンが、対応する赤外線を生じることができる。光学式読取システム２０は、パターン３１からの対応する赤外線を取り込むために、パターン３１の上の位置に移動させられる。
【００１６】
センサ４３は、パターン３１が生じた対応する赤外線を受け取り、対応する赤外線は、パターン３１の形を示す電子情報に変換される。画像処理モジュール５１は、電子情報を認識し、対応する出力信号を出力モジュール５２に出力することができる。スピーカー５２１が「オレンジ」という音声情報を発することができるか、または発信装置５２２が対応する出力信号を外部のシステムに送ることができる。
【００１７】
したがって、光学式読取システム２０は、典型的な語学学習本、児童教育本、または他の光学式電動装置に使用されうる。従来の光学式読取システム１０と比較すると、本発明の光学式読取システム２０は、外部の蛍光灯、または卓上灯を利用するだけで、図１に示したような内部の光源１１１を必要としない。したがって、本発明の光学式読取システム２０は、電力を節約し、必須の部品を減らせるものである。
【００１８】
さらに、光学式読取システム２０は、光源６０の明るさが十分であるかどうかを測定でき、光源６０の明るさが十分でない時は、スピーカー５２１によって警告信号を出力する。したがって、光学式読取システム２０は、人々に光が暗い状態で本を読まないように警告できる。
【００１９】
本発明の実施形態について説明したが、当業者により様々な変形および改良がなされ得る。したがって、本発明の実施形態は限定的な意味ではなく例示的な意味で記載されている。本発明が図示した特定の形状に限定されるものではなく、本発明の精神および範囲を維持するあらゆる変形が特許請求の範囲内に包含されることが意図されている。
【図面の簡単な説明】
【００２０】
【図１】図１は、従来の光学式読取システムを示す。
【図２】図２は、本発明に係る光学式読取システムを示す。
【図１】
2007085791.tif 000003
【図２】
2007085791.tif 000004
【外国語明細書】
2007085791000001.pdf